Podtech/llm-jp-corpus-v4-ja_patent huggingface dataset:
(57)【要約】【課題】工場で生産される窯業系建材や金属サイディング材は、施行現場で取り付けされる。施主の希望にそって各種機能を有することは、将来において施主の利便性が発現できる。多機能な外装建材が生産・施工されれば、別途工事で機能付与するより、工場生産品の方が安価で各種機能を施主に提供できる。【解決手段】窯業建材や金属サイディング材は工場生産されている。工場生産時に各種機能を施すことで、施工後の工事が不要になる。【選択図】図１
2009167781.tif 000002
【特許請求の範囲】
【請求項１】
目的に応じ、各種機能を有する工場生産の外装建材。
【請求項２】
蓄光塗料を基材に塗布し、夜間を明るくする外装建材。
【請求項３】
示温塗料を基材に塗布し、温度変化を色の変化で目視でわかる外装建材。
【請求項４】
電波用アンテナを内在させた外装建材。
【発明の詳細な説明】
【技術分野】
【０００１】工場で生産される窯業系外装建材（コンクリート製）は、戸建住宅、集合住宅、ビル等に使用されている。窯業系外装建材の主な原材料はコンクリートである。建材に鉄筋や木片等を混入する場合が多い。工場生産される窯業系建材には窯業サイディング、ＡＬＣパネル等がある。工場生産される外装建材には金属サイディング材もある。金属サイディング材は、断熱、防音等の効果発現のために裏打材を貼り付けている。
【背景技術】
【０００２】窯業系外装建材は、防火性、断熱性、工期短縮、耐久性、リサイクル性、安全性等の観点がら建物の外壁として貢献してきた。特に戸建の住宅外装では大きいシェアをもつ。窯業系外装建材は工場生産であり生産効率がよく品質の安定、生産コストの低減等で、建物の建築費を低減させることに貢献している。しかしながら、建物の建築戸数が減少して価格競争が激化し、品質上の不祥事が昨今、頻繁に顕在化している。国土交通省が指導する長寿命建築物の目標が実施されていない場合もある。ハウジングメーカー等は独自の品質規格があり品質は維持されているようだが、流通にのった外装建材は前述の通り、品質面で問題が生じている。建物は長期間、品質が維持されるべきであり特に、個人住宅においては一生で一度の大きな買い物である場合が多く、製造企業の品質管理が重要である。さらに製造企業は、施主の立場にたち、高耐久性、居住性、利便性、美観、環境対応等の各種機能をもち、長期間、性能を維持させる製品造りが重要である。金属サイディング材も窯業建材と同様の特長がある。特に耐震性、断熱性に優れており、窯業建材の欠点であるクラックが生じない長所がある。各種機能を有する外装建材とは、［請求項２］の場合、蓄光塗料を塗布した外装建材は、蓄光顔料を混入させた塗料を塗布することである。昼間に蓄光した外装建材は夜間に発光し、外灯の役割をはたせると同時に、外灯による消費電力を低減させ、省エネルギーの観点から環境問題にも貢献する。建物が発光すれば、防犯面で犯罪を防げる可能性もある。発光する建物を見て、子供たちが喜んでくれると期待する。蓄光顔料の技術進歩はめざましく、原料が有機物から無機物になり、耐用年数も大幅に向上した。半永久的に夜間発光する。［請求項３］の場合、外装建材に示温塗料を塗布し、外装建材の温度変化を色の変化で判断できる。子供たちが外装建材の色調で温度変化を、楽しんで観察してくれればよい。例えば、外装建材に３種類の示温塗料を塗布して模様として楽しむこともよい。示温顔料も技術進歩がめざましく、耐用年数も大幅に向上している。［請求項４］の場合、電波の受容可能なアンテナ（例：自動車のアンテナ）を外装建材に内在させる。建物の各部屋に端子を設け、アンテナの配線を部屋の端子に接続すれば、テレビ、ラジオ等の電波を受けることが可能である。長寿命の建物に各種機能を付与することにより、施主がより快適に長期間居住できるかは、外装建材製造企業の使命である。顧客志向といわれて久しい。施主の立場になり長期間、建物の性能が保持でき且つ、各種機能を発現することで、施主に居住する憩いや潤いを提供することが重要である。特に子供たちに楽しさを提供してほしい。外装建材製造企業は、［請求項１］から［請求項４］以外の機能も考慮し、各種機能を外装建材に付与し施主が居住したときに快適さや利便性等の満足を提供してほしい。戸建の場合、日本は先進国の中で、新築した住宅での居住期間がきわめて短期間である。長期間における建物の維持は、環境問題（廃棄物問題、ゴミ問題）にも貢献できる。施主にとってＬＣＣ（ライフサイクルコスト）の観点でも、経済的に賢明である。各種機能は、定期的な補修をすれば長期間、建物の維持が可能である。補修するときに新築時の機能以外の機能変更も可能である。２階建てであれば、１階に蓄料塗料を塗布した外装建材、２階に示温塗料を塗布した外装建材も楽しみである。その逆もよい。施主だけでなく、子供たちも喜んでくれる様々な機能発現ができればなおよい。建物が、外装建材の各種機能の様々な利便性や楽しさを醸し出せれば素晴らしい。外装建材製造企業は、施主の立場になり、高耐久性、高居住性、環境問題対応、利便性、楽しさ、等を考慮して、外装建材を製造・販売していただきたい。
【発明の開示】
【発明が解決しようとする課題】
【０００３】窯業系建材や金属サイディング材は工場で生産され、建築現場で取り付け施行される。建物を施行・建築する以前の設計段階で施主の希望を聞き、もしくは将来の施主の希望を事前に聴取し、各種機能を付与した外装建材を工場生産すればよい。各種機能をもった外装建材を建物に使用することは、施主に喜びと満足を提供できると考える。
【課題を解決するための手段】
【０００４】本発明は、請求項１から請求項４で述べたように、各種機能を付与した外装建材である。
【発明の効果】
【０００５】蓄光塗料を塗布した外装建材の場合、外灯をなくすことが可能になり消費電力の低減になる。防犯上、夜間に建物が発光すれば、犯罪者の侵入を防止できると期待する。子供たちには夜間に発光する建物を見て喜んでもらえれば幸いである。示温塗料を塗布した外装建材の場合、外装建材の温度が色調でわかる楽しさがある。子供たちが興味をもち、楽しんでくれれば良い。アンテナ機能を有した外装建材の場合、事前に端子との接続の準備をすれば、各部屋にテレビ等の受信機に画像や音声を提供できる。外装建材製造企業には様々な機能を付与した外装建材を末端の顧客である建物の施主に提供し、施主に満足を得てもらう提案をしていただくことを期待する。
【実施例】図１を用いて説明する。
【図面の簡単な説明】
【図１】［外装建材：蓄光塗料を塗布した外装建材］
【図２】［外装建材：示温塗料を塗布した外装建材］
【符号の説明】
▲１▼実施例の外装建材
▲２▼窯業系外装建材
▲３▼蓄光塗料を塗布した外装建材
▲１１▼実施例の外装建材
▲１２▼窯業系外装建材
▲１３▼示温塗料を塗布した外装建材
【図１】
2009167781.tif 000003
【図２】
2009167781.tif 000004
(57)【要約】【課題】  シート材を仮設用システム骨組みに張り固定するときの作業効率を高めると共に、強固に張り固定することができるシート材の留め具を提供する。【解決手段】  仮設用システム骨組み（１）に留め具受け部（２）のあるフック（３）を設け、留め具（４）でシート材（５）をはさみ固定するシート材の留め具を特徴とする。【選択図】図１
2009167780.tif 000002
【特許請求の範囲】
【請求項１】
仮設用システム骨組み（１）に留め具受け部（２）のあるフックを設け、留め具受け部（２）と留め具（４）にてシート材（５）をはさみ固定するシート材の留め具。
【発明の詳細な説明】
【技術分野】
【０００１】  この発明は、仮設用システム骨組みにフックと留め具を設けシート材を張り固定するシート材の留め具に関するものである。
【背景技術】
【０００２】  従来、仮設用システム骨組みにシート材を張り固定する場合、ロープ状のものでしばるか、粘着テープで固定していた。
【発明の開示】
【発明が解決しようとする課題】
【０００３】  これは次のような欠点があった。従来、仮設用システム骨組みにシート材を張り固定する場合、シートの一部に穴を開けロープ状のものを通し骨組みとしばり固定していたため作業に手間がかかった。あるいは、マジックテープ（登録商標）や粘着テープ及びカーテンフックで重量のあるシート材を張り固定する場合、離脱落下する心配があった。又、仮設用システム骨組みはアルミやクロームなどの鉄製であるため、釘やタッカーが効かないため、シート材を張り固定ことが簡単ではなかった。
本発明は、以上のような欠点をなくすためになされたものである。
【課題を解決するための手段】
【０００４】  仮設用システム骨組み（１）に留め具受け部（２）のあるフック（３）を設け、留め具受け部（２）と留め具（４）でシート材（５）をはさみ固定する。
本発明は、以上の構成よりなるシート材の留め具である。
【発明の効果】
【０００５】  シート材はフック付き留め具と共に仮設用システム骨組みに取り付けることで簡単に強固に張り固定することができる。数ヶ所設けた留め具でシート材を引っ張りながら連続取り付けすることで、たわむことなくシート材を張り固定することができる。又、仮設用システム骨組みにはフックにて引っ掛け取り付けるため、仮設用システム骨組み自体を傷付けることなく脱着可能である。
【発明を実施するための最良の形態】
【０００６】  以下、本発明を実施するための最良の形態について説明する。
仮設用システム骨組み（１）に留め具受け部（２）のあるフック（５）を取り付ける。留め具受け部（２）にシート材（５）をあて、留め具（４）を差し込む。
本発明は、以上のような構造でこれを使用するときは、留め具受け部（２）のあるフック（３）と留め具を数ヶ所設け、シート材（５）を張り固定すればいい。
仮設用システム骨組み（１）は柱、梁、筋交いで構成されていて、形状も平板や曲面など様々あるが、取り付けるフック（３）の形状を調整して納め固定する。仮設用システム骨組み（１）に装着することで、シート材（５）を滑らかに整えることが可能である。又、必要に応じてバンド（６）表面に両面粘着テープを貼りシート材（５）を張り固定することで、シート材（５）同士の合わせズレをなくし、たわみやへこみをなくすことができる。
シート材（５）には建築内装や展示会装飾で使用される塩ビシート、ポリカーボネートシート、突板シート、曲げベニヤなどの各種シート材、梱包養生材として使用されることの多い段ボール、ポリプロピレンシートなどの各種シート、布や紙などの自然素材でできたもの、ビニール、プラスチック、スポンジ、ゴムなど石油を原料とする製品、金網やアルミホイルなど鉄を原料とした製品など生活全般で使用するシート状の物品がこれに該当する。
本発明は店舗や展示会場等の商業空間や展示空間を作るための間仕切り及び内装、あるいは仮設住宅、ビル等の内装の施工に用いることができる。シート材は板材を違い巻いたり丸めたりできるのでかさばらず、人の手で持ち運ぶのに向いているので、素早く短期間での現場取り付け施工、あるいは現場撤去撤収が可能であるため、仮設用システム骨組みと共に活用することで高い利用価値がある。
シート材は切ったり貼ったりつないだりすることが容易であるため、可変性を求められるイベントなどの空間作りに有効である。又、本発明のシート材の留め具は脱着自在であるためリサイクルに適している。このことは地球環境保全に役立つだけでなく、経済的メリットもある。
【図面の簡単な説明】
【０００７】
【図１】  本発明の分解斜視図である。
【図２】  本発明の斜視図である。
【図３】  本発明の連続取り付け斜視図である。
【図４】  本発明の応用連続取り付け分解斜視図である。
【図５】  本発明の応用連続取り付け斜視図である。
【符号の説明】
【０００８】  １  仮設用システム骨組み
２  留め具受け部
３  フック
４  留め具
５  シート材
６  バンド
【図１】
2009167780.tif 000003
【図２】
2009167780.tif 000004
【図３】
2009167780.tif 000005
【図４】
2009167780.tif 000006
【図５】
2009167780.tif 000007
(57)【要約】【課題】  従来の車止めは、人がつまずき靴を傷つけたり、あるいは転倒したり、設置手間がかかるという問題があった。これは、素材に堅いものが使用されたり、夕暮れ時は見えにくいために足を引っ掛けやすかったり、車の死角となって気づきにくいとか、多くがコンクリート製でできているなどのためである。【解決手段】  カバー本体の素材を軟質樹脂にした。これにより、衝撃吸収効果により、靴を傷つけたり、怪我を防止することができる。また、カバー本体に視認性の高い黄色を使用するとともに、素材に蓄光材を使用し、反射シートをも利用した。これにより、昼夜間を通して人々の駐車場での安全性に効果を発揮する。さらに、取り付け具として両面テープを使用した。これにより、誰でもどこでも簡単に取り付けができる。【選択図】図１
2009167774.tif 000002
【特許請求の範囲】
【請求項１】
反射透過孔を貫設したカバー本体と、前述のカバー本体裏面の反射透過孔部分に反射シートを固着して、カバー本体の前面に光があたった場合、反射透過孔の中だけ反射シートにより光が反射するように構成し、カバー本体裏面全面に両面テープを貼設した車止めイエローカバー。
【発明の詳細な説明】
【技術分野】
【０００１】  本発明は、駐車場における車止めの衝撃吸収効果、視認性の大幅アップ、設置手間の軽減を図った車止めイエローカバーに関するものである。
【背景技術】
【０００２】  従来の車止めにはコンクリート製のものや、プラスチック系のものがある。【０００３】  以下、図３、図４により従来の車止めについて説明する。図３において、コンクリート製の車止めの前面は、タイヤを傷つかないように曲線（Ｒ）を有している。また背面は、成形のしやすさを優先しているので角が立っている。【０００４】  図４において、プラスチック系で成形された車止めの底面に、凸部を設けて取り付けボルトを貫入、取り付けナットで締着されている。
【発明の表示】
【発明が解決しようとする課題】
【０００５】  以上に述べた従来の車止めでは、夕暮れ時には見えにくいのと、製品が堅いという点から、人がつまずいて靴を傷つけたり怪我をしやすく、夜間は目視が困難であるため、視覚障害者等の弱者の妨げになるのは言うまでもなく、健常者であっても気づきにくく、事故につながったり、また、設置時はコンクリート製においては設置時期を舗装工事と合わせる必要性があったり、プラスチック系はボルトで固定するため多くの設置手間を要するという問題点を有していた。
【０００６】  本発明は、このような従来の構成が有していた問題を解決しようとするものであり、衝撃を緩和し、転倒事故を防止するとともに、視認性を高め、高齢者・身障者・弱者に安全な車止めを提供し、さらに、誰でもどこでも簡単に取り付けられることを目的とするものである。
【課題を解決するための手段】
【０００７】  そして、本発明はカバー本体の素材に軟質樹脂を使用したものである。
【０００８】  また、第２の課題解決手段は、カバー本体の色に視認性の高い黄色を使い、素材の軟質樹脂に蓄光材を混入し、カバー本体裏面の反射透過孔部分に反射シートを固着して、反射シートにより反射された光を表面に透過するための反射透過孔を貫設したものである。
【０００９】  さらに、第３の課題解決手段は、カバー本体の裏面全面に両面テープを貼設したものである。
【００１０】  上記第１の課題解決手段による作用は次の通りである。すなわち、カバー本体の素材に衝撃吸収効果がある軟質樹脂を使用することにより、人がつまずいて靴を傷つけたり、怪我を防止する効果を発揮する。
【００１１】  また、第２の課題解決手段による作用は、カバー本体を視認性の高い黄色とし、蓄光材の使用、反射シート利用により昼夜間を通して高齢者・身障者・弱者の駐車場での安全性に効果を発揮する。
【００１２】  さらに、第３の課題解決手段による作用は、ブチル系の両面テープを取り付け具としたことにより、誰でもどこでも簡単に取り付けられる。
【発明の効果】
【００１３】  上述したように、本発明の車止めイエローカバーは、衝撃吸収性があり視認性が高いので、人々に安全性を提供できるとともに、反射透過孔の配列工夫や、反射シートをブルー、グリーン、レッド、イエロー、ホワイトその他に変換することにより、デジタル文字が創出できるという効果をも発揮する。
【００１４】  また、カバー本体が、誰でもどこでも簡単に履設できるので経済的効果をも期待できる。
【発明を実施するための最良の形態】
【００１５】  以下、本発明の実施の形態を図１、図２に基づいて説明する。【００１６】  図においては、１はカバー本体であり、厚さ１ｍｍ〜５ｍｍ程度を有する軟質樹脂素材が用いられ、２の反射透過孔がΦ８ｍｍ〜Φ１２ｍｍ間隔で貫設されており、２の反射透過孔の裏面部分に、厚さ０．５ｍｍ〜１ｍｍの反射シートが固着されている。そして、１のカバー本体の裏面全面には、ブチル系の両面テープが貼設されている。【００１７】  １のカバー本体は軟質樹脂素材だけでなく、ゴム系素材を用いてもよい。【００１８】  以下、上記構成の既設の車止めへの履設を説明する。既設の車止めを清掃（ブラッシング）し、掃除機に吸引し、プライマーを塗布する。【００１９】  プライマーの乾燥後、リケイ紙を取り、既設の車止めに貼設し、ローラー掛けを行い、ゴムハンマーにて叩いて圧設する。以上のように、本実施形態によれば安全性・視認性・設置手間の軽減が得られるのである。
【図面の簡単な説明】
【００２０】
【図１】  本発明の設置前の外観図である。
【図２】  本発明の図１におけるＡ−Ａ線断面図である。
【図３】  従来のコンクリート製車止めの斜視図である。
【図４】  従来のプラスチック製車止めの外観図である。
【符号の説明】
【００２１】    １．カバー本体
２．反射透過孔
３．反射シート
４．両面テープ
５．前面
６．背面
７．凸部
８．取り付けボルト
９  取り付けナット
【図１】
2009167774.tif 000003
【図２】
2009167774.tif 000004
【図３】
2009167774.tif 000005
【図４】
2009167774.tif 000006
(57)【要約】【課題】  山間部をはじめ樹木の多い地域では、雨樋に落ち葉が積もりその役目を果たさなくなってしまう事が多い。落ち葉が積もった雨樋の掃除は大変であり、２階の屋根、３階の屋根の雨樋となると更に困難を極める。【解決手段】  雨樋の上面を覆うはめ込み式カバーで、雨だれを受ける上面部に無数の水抜き穴を開け、雨水だけを雨樋内へ落とし、落ち葉や大きなゴミ等が雨樋内に堆積することを防ぐようにした。【選択図】図１
2009167776.tif 000002
【特許請求の範囲】
【請求項１】
雨樋の上部を覆うカバーで、屋根から雨水を受ける上部平面部に無数の水抜き穴、又は、網目状の水抜き穴を施し、両縁に雨樋縁とはめ込み結合出来る溝形状を施した雨樋カバー。
【発明の詳細な説明】
【技術の分野】
【０００１】  本発明は、家屋屋根の雨樋に落ち葉やゴミなどの堆積を防ぐ雨樋カバーに関する。
【背景の技術】
【０００２】  家屋屋根の雨だれ受け横樋は半円形に天を向いてその目的を果たしているため、落ち葉や他の様々なゴミが堆積しやく掃除が大変である。
【発明の開示】
【発明が解決しようとする課題】
【０００３】  樹木が多く枯葉が舞い散る地域の家屋では、雨樋に詰まる落ち葉掃除に苦労する。そしてこれを放置しておくと細かなゴミも一緒に堆積してくる。これは雨樋が天を向いて開いている構造から防げない課題である。【０００４】  本発明は、この課題を解決するため、雨水は通し、落ち葉は停留させない雨樋カバーの実現を目的とする。
【課題を解決するための手段】
【０００５】  本発明は、上記の目的を達成するため、雨樋カバーの両縁に雨樋の縁にはまり込む半円形の雨樋はめ込み部を設け、雨水を受ける上面部全面に交互に並ぶ無数の穴を開けて雨水だけを雨樋に落とすようにした。
【発明の効果】
【０００６】  本発明により、雨樋カバー上に落ちてきた落ち葉やゴミは、雨樋内への堆積が妨げられていく。
【図面の簡単な説明】
【０００７】
【図１】平面図
【図２】雨樋にセットした一部断面図
【符号の説明】
【０００８】    １  穴
２  雨樋はめ込み部
３  取り外し用爪
４  雨樋
【図１】
2009167776.tif 000003
【図２】
2009167776.tif 000004
(57)【要約】【課題】従来の本棚に於ける本の転倒防止は断面Ｌ字形の底辺の長い重いブックスタンドで本の側面を支える方式であった。従って本棚の本の収容量はその分減少、本棚の本の収容能力に無駄を生じたし、ブックスタンドの落下による人体や器物の損傷等も防ぎ切れなかった。これ等を解決する。【解決手段】本棚の前端面又は後端面の全長に波板形の凹凸部かこれに代わる凹凸部を設ける。一方これ等凹凸部に嵌合する凹凸部と本棚を挟む平板部を持つ薄板の下側平板部は凹凸部の左端か右端で直角に下側に折り曲げる。これがブックスタンドになって本の上端を支える。【選択図】図１
2009006103.tif 000002
【特許請求の範囲】
【請求項１】
本棚の棚板の前面又は後面に波板状の凹凸かこれに代わる凹凸部を設けた事を特徴とする棚板。
【発明の詳細な説明】
【技術分野】
【０００１】  本発明は従来型のブックスタンドを廃し、本棚に収容し得る本の量を画期的に増加させ得る手段を提供するものである。【０００２】  従来のブックスタンドは断面Ｌ字形で、本の倒れを防ぐ為に重く底辺を長くしてある。この為棚の本収容能力がその分減ってしまうし、落下によって人や物を損傷する危険もあった。
【発明の開示】
【発明が解決しようとする課題】
【０００３】  解決しようとする問題点は［０００２］項で指摘した様な従来方式の欠点で、これを抜本的に改革しようとの意図で全く別の思想で取り組んで開発したものである。
【課題を解決するための手段】
【０００４】  本発明は斬新な発想に基づいて如上の欠陥を排除、従来型のブックスタンドを廃し、その無くなった分だけ本を増やせる、即ち棚一杯に本を並べ得る手段を提供するものである。
特徴の第一は棚の前面（又は後面）を波板状の凹凸面にする事で、第二は金属又はプラスチックの板を加工してなるブックスタンドで棚の凹凸面に嵌合する凹凸部を持つ事を特徴とする。その構造・作用等は重複を避けて実施例の項で詳述する。
【発明の効果】
【０００５】  本発明によれば、従来本の転倒を防ぐ為に底部の長い重いブックスタンドで支える為本棚の本の収容能力を著しく削ぐし、落下による損傷等も防ぎ切れなかった欠点を総て解消。収容能力を簡単・確実に従来型のブックスタンド無しで棚板上にぎっしり並べるのと同等程度になし得るし、軽くて取り扱い易く量産も容易である。
【発明を実施するための最良の形態】
【０００６】  本の転倒モーメントはその重量と重心の高さ（本の高さの１／２と見てよい）の積である。並べる本のそれはまちまちだから支えるブックスタンドもそれぞれに適したものにすべきだが、従来方式では何通りも準備する訳に行かないから大きめのものを添える事になる。本発明のブックスタンドは転倒を支える部分の長さの違うものを色々揃えて安価に添えられるし、本の頂部で支える事になるから転倒モーメントに抗する点で有利である。
【実施例１】
【０００７】  図１は本発明の本棚の平面図。棚の前面に波形の凹凸部を設けた例を示す。
【作用】
実施例について、より詳く構造・作用等を説明する。
【０００８】実施例１
図１は本発明を適用した棚板の１例を示す平面図、図２はその棚板の前面を示す正面図。即ち棚板の前面に波板状の凹凸部を設けるのである（この凹凸部は棚板に加工して形成しても良いし、金属板なんかを加工して作ったものを棚板前面に取り付けてもよい）。長さはほぼ棚板の全長に亘る。
【０００９】  図３      は上記棚板と組み合わせて使うブックスタンドの１例で金属板或はプラスチック板などを加工して作る。図３はその前右上方からの俯瞰図。
【００１０】  即ち、１枚の平板にプレスででも波板の凹凸にピッタリ嵌合する凹凸部を作る。図では二つの凹凸１・２にしてあるがこの程度でよい。凹凸一つに対応するものでも良い。次いで凹凸部の上端及び下端で板を直角に後方即ち凹凸部を嵌め合わせた時に棚板を挟む方向に曲げる。これで曲げた部分でちょうど棚板を挟む形になる。次いで下側の板の部分は凹凸部の左端又は右端で直角に下方に折り曲げる。折り曲げた部分の長さは意図次第で決める。上側切り取りは適宜。これでブックスタンドが一つ出来上がった事になる。
【０００１１】  この様なブックスタンドを棚板一つ毎に幾つも準備する。本の大きさはまちまちだから、例えば小さい本を支える時には前項記載の下方への折り曲げ部分の長いものを使うなど。
【００１２】  本の厚さもまちまちだから、薄い本は何冊かまとめて二つのブックスタンドで挟んでもよい。
【００１３】  本の転倒のモーメントはその重さと重心の高さの積であり、重心の高さは本の高さの１／２と見てよい。本発明のブックスタンドでは本の上端部で支えるから極端な話転倒防止に要するモーメントは１／２になりその分ブックスタンドの強度の面などで有利になる。
【００１４】  なお、上例では凹凸を波板にした例を示したが、凹凸の形はそれに限らない。棚板の凹凸とブックスタンドの凹凸が有効に嵌合する構造であればよい。
【産業上の利用可能性】
【００１５】  従来のブックスタンドの欠点である重く大きいブックスタンドを不要とし、それによる危険及び本棚に並べ得る本の量の減少と言う欠陥を是正、且つ生産でも有利である等から将来の本棚は総て本発明によるものとなろう。
【図面の簡単な説明】
【００１６】
【図１】  実施例１を示す平面図。
【図２】  正面図。
【図３】  ブックスタンドの斜視図。前面右上方からの俯瞰図。
【符号の説明】
【００１７】  １  本発明の本棚、
２  波板の凹凸部、
３  波板の凹凸部の凸部、
４  波板の凹凸部の凹部、
５  ブックスタンドの凹凸部の凸部、
６，ブックスタンドの凹凸部の凹部、
７、ブックスタンドの上側平板部、
８，ブックスタンドの下側平板部、
９  ブックスタンドの下方への折り曲げ部、即ちスタンド部。
【図１】
2009006103.tif 000003
【図２】
2009006103.tif 000004
【図３】
2009006103.tif 000005
(57)【要約】【課題】従来のコマ付カバンは、コマが不要なときでもコマは収納されずジャマになり、また、コマ使用事でも使用者の歩行とは別にカバンを誘導する必要があった。コマの付いていないカバンの場合は、荷物として持ち運ぶ必要があった。【解決手段】１カバン本体に走行機を取り付ける。走行機は８前コマ、９後コマ、操縦を行なうための１３ハンドル、足を乗せるための７ステップを設けたもので、かつ１カバン本体に収納可能なものである。【選択図】図１
2009006107.tif 000002
【特許請求の範囲】
【請求項１】
カバンやバッグに人間が乗車可能な走行機を取り付けたことを特徴とするカバン。
【請求項２】
前記走行機は、不使用時にカバンやバッグに収納可能であることを特徴とするカバン用走行機。
【請求項３】
前記走行機は、走行機が収納可能である大きさのカバンやバッグに取り付けることが可能であることを特徴とする請求項２記載のカバン用走行機。
【請求項４】
前記走行機は、モーター駆動の自動走行機と地面を足で蹴り、走行可能な走行機のいずれかをカバンに取り付けることが可能であることを特徴とする請求項２記載のカバン用走行機。
【請求項５】
前記走行機は、カバンを取り外し、走行機のみでも運用可能であることを特徴とする請求項２記載のカバン用走行機。
【発明の詳細な説明】
【技術分野】
【０００１】この発明は、カバンやバッグ等に用いる走行機及び走行機付きカバンに関する。
【背景技術】
【０００２】従来の小型のカバンは、荷物として持ち運ぶものであり、大型のカバンについては図４に示すように、持ち運び易いように本体底面部にコマが設けられたものである。
【発明の開示】
【発明が解決しようとする課題】
【０００３】しかしながら、以上の技術によれば、コマ付のカバンの場合、コマが不要なときでもコマは収納されずジャマになり、また、コマ使用事でも使用者の歩行とは別にカバンを誘導する必要があった。
また、コマ付ではないカバンについては、荷物として持ち運ぶ必要があった。
そこで、この発明は、不要なときにはコマを収納し、コマが必要なときにはコマを出し、その上、乗車および操縦出来るカバンを提供することを課題とする。
【課題を解決するための手段】
【０００４】以上の課題を解決するために、第一発明は、走行機である前コマと後コマおよび操縦を行なうためのハンドルと足を乗せるためのステップを取り付けた機構を有することを特徴とするカバンである。
また、第二発明は、走行機のコマ及び操縦を行なうためのハンドルが不要な際、カバン内部に収納可能であり、ステップもカバン側面に畳むことが可能であることを特徴とするカバンおよび走行機である。
【発明の効果】
【０００５】第一発明、または第二発明によれば、カバンに乗車出来、操縦できるので、カバンを荷物としてではなく、走行補助として活用できる。
【発明を実施するための最良の形態】
【０００６】この発明の一実施形態を、図１および図２に示す。
カバンを走行補助として使用する場合、１カバン本体に収納されている８走行機の前コマと３その上部板および１３操縦を行なうためのハンドルと９後コマと４その上部板を取り出し、また、付属の７ステップも、１カバン本体側面より取り出される。
１カバン本体に収納される荷物については、５走行機上部フレーム上にカバン底板を有し、その上に乗せることが可能である。【０００７】「一実施形態の効果」
この実施形態によれば、７ステップに足を乗せ、操縦を行なうための１３ハンドルを持つことによって、１カバン本体に乗車することが出来る。１０モーターが付属しているものについては、１０モーターにつながっている１５モーター回転スイッチによって、１０モーターを回転させ、１０モーターに連動させた９後コマを回転させて走行を行なう。１０モーターは１１バッテリにより電源供給される。１０モーター及び１１バッテリが付属していない場合は、片足で地面を蹴って走行を行なう。したがって、カバンを走行補助として使用可能であり、１カバン本体の誘導と歩行の一体化が行なうことができる。【０００８】この発明の一実施形態の収納状態を、図３に示す。
カバンを走行補助として使用しない場合、１カバン本体内５走行機上部フレーム下に８前コマと３その上部板および９後コマと４その上部板を収納することができる。また、１２ハンドル軸は、折りたたみもしくは、伸縮させることができ、１カバンの本体内５走行機上部フレーム下に収納することができる。１３ハンドルも中央で、折ることができるため、１２ハンドル軸と同様に収納することができる。７ステップも、１カバンの本体側面に畳むことができる。
１カバン本体に収納される荷物については、５走行機上部フレーム上にカバン底板を有し、その上に乗せることが可能である。【０００９】「一実施形態の効果」
この実施形態の収納状態では、不使用時ジャマであったコマも収納され、走行機付カバンを通常のカバンとして取り扱うことが可能となる。【００１０】「他の実施形態」
図１の実施形態での１カバン本体は、バッグやカートなどにも適用可能であり、１カバン本体を構成する各部の形状、構造等は変更可能である。また走行機についても１カバン本体にあわせ構成する各部の形状、構造等は変更可能である。１カバン本体に乗車するための８前コマおよび９後コマは、ともに１輪であるが、１カバン本体の大きさによっては８前コマおよび９後コマは、ともに２輪設けたものでも良い。また他の実施形態では、１カバン本体に腰掛けるためのイスや警告ベル、ブレーキ等、走行補助となるものを複数設けたものでも良い。
【図面の簡単な説明】
【００１１】
【図１】この発明の一実施形態を示す側面図である。
【図２】この発明の一実施形態を示す走行機の斜視図である。
【図３】この発明の一実施形態を示す走行機の収納状態の側面図である。
【図４】従来技術を示す側面図である。
【符号の説明】
【００１２】１  カバン本体        ２  カバン取っ手          ３  前コマ上部板
４  後コマ上部板      ５  走行機上部フレーム    ６  走行機下部フレーム
７  ステップ          ８  前コマ                ９  後コマ
１０  モーター        １１  バッテリ            １２  ハンドル軸
１３  ハンドル        １４  ブレーキレバー      １５  モーター回転スイッチ
【図１】
2009006107.tif 000003
【図２】
2009006107.tif 000004
【図３】
2009006107.tif 000005
【図４】
2009006107.tif 000006
(57)【要約】【課題】  本発明は、従来品では出来なかった、着脱時のスムーズさと使用時の確実な滑り止め効果との両立を可能にしたハンガーを提供する。【手段】  ハンガー外部本体（１）に切り抜き部（３）を設けその一部に滑り止め部（４）を持つハンガー内部本体（２）が使用時のみ、その重みによりバネ（６）を縮め、その切り抜き部（３）に滑り止め部（４）のみせり出るようにする。【選択図】図１
2009006101.tif 000002
【特許請求の範囲】
【請求項１】
ハンガー外部本体に切り抜き部分を設け、使用時のみその内部から、上記切り抜き部分に、滑り止め効果のある素材からなるハンガー内部本体の一部が、ハンガー外部本体表面に適量せり出るハンガー。
【請求項２】
ハンガー内部本体（その一部に外部本体切り抜き部分を補う形状を持つ）と反発素材を含む軸部を介して接続されるハンガー外部本体（一部切り抜き部分のある）が、使用時のみ、その掛けようとする衣類の重みにより、自動で沈み込み、その切り抜き部分に、ハンガー内部本体の一部が適量せり出るハンガー。
【発明の詳細な説明】
【技術分野】
【０００１】本発明は衣服等の滑り止め効果を有するハンガーであって、その使用感を向上させたものである。
【背景技術】
【０００２】一般的なハンガーに、ニット類などを掛けた時、形が崩れたり脱落してしまう事があった。
また、従来、滑り止め付のハンガーと言えば、全体をスポンジ等のカバーで覆う物、一部或いは全体をゴムや樹脂等の粘着作用のある素材を用いる物などがある。
【発明の開示】
【発明が解決しようとする課題】
【０００３】衣類（特に形が安定し難い薄物やニット類）を従来の滑り止め付ハンガーで使用する時、次のような問題点があった。
一旦装着してしまえば、その効果はあるが、着脱時に衣類と滑り止め部分が干渉し、引っ掛かりを生じ易く、スムーズに着脱しにくいという難点があった。
本発明は、以上の問題点を解決するためになされたものである。
【課題を解決するための手段】
【０００４】ハンガー外部本体の一部に切り抜き部分を設ける。その内部に、その切り抜き部分を補う形状の滑り止め部分を持つハンガー内部本体を配し、その接続される軸部にバネ等、反発素材を設け、衣類をハンガーに掛ける事により、使用時のみ、その重みでバネ等を縮め、ハンガー外部本体が下がり、その切り抜き部分にハンガー内部本体の滑り止め部分がせり出るようにする。
本発明は、以上の構成により、容易に且つ確実に衣類を掛ける事が出来るハンガーである。
【発明の効果】
【０００５】本発明により衣類は引っ掛かりを起こさず、スムーズに着脱出来、また、滑ったり形崩れせず、使用時のみ、容易且つ確実に滑り止め効果が機能する。
以上により、従来品では出来なかった、スムーズな着脱と確実な滑り止め機能の両立を可能にした。
【発明を実施するための最良の形態】
【０００６】以下、本発明の実施の形態を説明する。
（イ）その表面に切り抜き部（３）を設けたハンガー外部本体（１）と、その切り抜き部（３）を補う形状の一部を持つハンガー内部本体（２）からなる二重構造とする。
（ロ）ハンガー内部本体（２）から出る軸部（５）にバネ（６）を設け、ハンガー外部本体（１）を上面に配し、接続する。
（ハ）ハンガー内部本体（２）の滑り止め部（４）は、通常時にはハンガー外部本体（１）の表面より僅か（適量）低くなるよう設置し、使用時には表面より僅か（適量）高くなるよう設定する。
（応用例）  ハンガー本体の形状によっては、ハンガー外部本体一体成形のガイド部（８）を設けたり、バネ（９）を増設する事も出来る。また、用途や形状により、バネの度合や滑り止め部の位置、形を自由に出来る。
また用途により、軸部（５）にロック機構を付加する事で、任意に状態を固定する事も可能である。
また形状を変える事で、スラックスハンガーなどにも応用出来る。
【図面の簡単な説明】
【０００７】
【図１】  本発明の斜視図
【図２】  本発明の外部本体  斜視図
【図３】  本発明の内部本体  斜視図
【図４】  本発明の滑り止め部  通常時  断面図
【図５】  本発明の滑り止め部  使用時  断面図
【図６】  本発明の外部本体  応用例  断面図
【符号の説明】
【０００８】（１）ハンガー外部本体、（２）ハンガー内部本体、（３）切り抜き部（４）滑り止め部、（５）軸部、（６）バネ、（７）軸部ストッパー（８）ガイド部、（９）バネ
【図１】
2009006101.tif 000003
【図２】
2009006101.tif 000004
【図３】
2009006101.tif 000005
【図４】
2009006101.tif 000006
【図５】
2009006101.tif 000007
【図６】
2009006101.tif 000008
(57)【要約】【課題】        洗濯角ハンガーが風などで回転し、その際に衣類などが手摺や窓に接触して汚れてしまう不具合を解決する事、また衣類を干す際に水平バランスを考えながら干す手間を解決する事。【解決手段】    洗濯角ハンガーの吊り下げフックを各半面１つずつ、計２つ取り付けることによって、この課題を解決する。【選択図】図１
2009006105.tif 000002
【特許請求の範囲】
【請求項１】
合成樹脂で成型された回転する洗濯角ハンガーの吊り下げフック部材を、合成樹脂の鎖または鉄加工の鎖及びワイヤーで、洗濯角ハンガーの半面ずつに各一つずつ取り付けた事を特徴とするダブルフック洗濯角ハンガーです。
【発明の詳細な説明】
【技術分野】
【０００１】  本発明は、洗濯角ハンガーに関する物であり、洗濯角ハンガー上部の吊り下げフックの数を２つにする事により、風などで洗濯角ハンガーの本体が回転するのを防ぐ事や、水平バランスを考えながら干さなくても著しく傾くことがないので、安定性を提供する事を目的とした発明です。
【背景技術】
【０００２】  従来の物干し竿に掛ける洗濯角ハンガーは、洗濯バサミを多数吊るしてなる長方形状の物干し器本体を、鎖やワイヤーで吊ってから吊り下げフックに掛けてあり、その際の吊り下げフックの数は本体に対して１つでした。
【発明の開示】
【発明が解決しようとする課題】
【０００３】  従来の洗濯角ハンガー上部の吊り下げフックの根元部分は回転式になっており、屋外などに干した場合に洗濯角ハンガー全体が風であおられ、吊り下げフックの根元部分が回転する事によって衣類の向きが安定しなく、風にあおられた衣類は手摺や窓に接触する事によって汚れ非常に不愉快でした。【０００４】  また従来の吊り下げフックは、洗濯角ハンガー本体に対して前後左右対称に真ん中に１つしか付いていない為、衣類を干した際に均等に干さないと重い方に著しく傾くという不具合が生じ、その為に左右の重量のバランスを考えながら干すという手間を解決する事を課題としました。
【課題を解決する為の手段】
【０００５】  洗濯角ハンガー本体に対して吊り下げフックを各半面に１つずつ、計２つ取り付ける事で、左右に著しく吊り下げフックの根元部分が回転するのを最小限に抑えられます。
【０００６】  また従来の洗濯角ハンガーとは吊り下げフックを取り付ける位置が異なるので、各半面ずつ均等に取り付けた事によってどちらか一方からの下から引っ張る力にも強く、洗濯角ハンガー本体の安定性が高くなりました。
【発明の効果】
【０００７】  干した衣類が風で洗濯角ハンガーと連動して回転することなく衣類の向きも安定する為、衣類が手摺や窓などで汚れる心配が減少します。
【０００８】  また衣類を干す際に水平バランスを考えなくても、どちらかに著しく傾く事がなくなります。
【０００９】  図２の様に、（９）の吊り下げフックを支点として、（８）の吊り下げフックを（１０）の地点へ回転させて再度物干し竿に取り付ければ、後ろにきていた面が前に移動するので、万遍なく日光を衣類に当てられます。
【００１０】  吊り下げフックが２つある事により、鴨居に掛ける際に図３の様に両方向からがっちりと鴨居をキャッチする事で圧着強度が増し、吊り下げフックが外れる心配が減少します。
【００１１】  またどちらか一方の面が破損した場合、折りたたみ連結部分を取り外すことによって、ミニ洗濯角ハンガーとして継続して使用可能である。
【発明を実施するための最良の形態】
【００１２】  図面に基づいて、この発明に係るダブルフック洗濯角ハンガーについての最良の形態を詳細に説明致します。【００１３】  従来の洗濯角ハンガーの洗濯バサミを下げる本体に対して各半面ずつ、前後左右対称に四隅へ計８箇所に穴を開け、合成樹脂で成型された鎖、もしくは鉄加工の鎖またはワイヤーをそれに通す。【００１４】  その通した鎖、またはワイヤー上部の長さを均等に保ちながら各半面ずつ４本を１箇所に集め、同じく下部に穴を４ケ所あけた吊り下げフックに各面１つずつ引っ掛けそれぞれ固定する事によって、風で洗濯角ハンガーの吊り下げフックの下部が回転するのを最小限に抑えられ、下から引っ張ろうとする力などにも効果を発揮します。また鴨居に引っ掛ける際にも圧着強度が増します。【００１５】  尚、この際の鴨居に対しての圧着強度を増す場合の吊り下げフックの形態は、湾曲した回動自在の狭持部分の開口部などに滑り止めを施してあるものに限られる。この例として、特許文献１に開示されているものがある。
【特許文献１】特許公開２００６−１８１３０１号
【産業上の利用可能性】
【００１６】  本発明に係るダブルフック洗濯角ハンガーは、工業的に量産する事が可能な為、産業上の利用可能性を有する。
【図面の簡単な説明】
【００１７】
【図１】    この発明に係るダブルフック洗濯角ハンガーの全体斜視図である。
【図２】    物干し竿に吊るした全体斜視図である。
【図３】    鴨居に吊るした全体斜視図である。
【符号の説明】
【００１８】１      吊り下げフック部材
２      グリップ部分
３      回転部分
４      鎖、またはワイヤー
５      本体
６      洗濯バサミ
７      物干し竿
８      吊り下げフック
９      吊り下げフック
１０    吊り下げフック移動地点
１１    鴨居の断面図
【図１】
2009006105.tif 000003
【図２】
2009006105.tif 000004
【図３】
2009006105.tif 000005
(57)【要約】【課題】  眼鏡を掛けている時、マスクをすると息がマスクと鼻の間から抜け、眼鏡のガラスを曇らす。【解決手段】  口部を塞ぐ部分マスク（１）と、鼻部を塞ぐ部分マスク（２）を区別したことで口からの息は、２重遮断する為に眼鏡を曇らすことが防げる。【選択図】図１
2009006102.tif 000002
【特許請求の範囲】
【請求項１】
口部を塞ぐ部分マスク（１）と、鼻部を塞ぐ部分マスク（２）を区別した構造により、口からの息は、２重に遮断される為、眼鏡を曇らすことが防げる眼鏡用マスクである。
【発明の詳細な説明】
【技術分野】
【０００１】  本発明は、眼鏡を使用して、マスクを掛けると息で眼鏡を曇らすことを防ぐマスクである。
【背景技術】
【０００２】  従来品のマスクは、口部と鼻部を一体に覆う構造の為、息が鼻とマスクの間から抜け、眼鏡を曇らせていた。
【発明の開示】
【発明が解決しようとする課題】
【０００３】  従来のものは、次のような欠点があった。
イ  鼻とマスクの間隙を無くす構造でない為、息が漏れる。
ロ  マスクが変形して間隙が広がる。
以上の欠点を改善する為に次の発明をした。
【課題を解決するための手段】
【０００４】  口部を塞ぐ部分マスク（１）と、鼻部を塞ぐ部分マスク（２）を区別した構造により、口からの息は、２重に遮断される為、眼鏡を曇らすことが防げる。
【発明の効果】
【０００５】  発明の効果としては、眼鏡が曇らない為に歩行、その他あらゆる作業が安全、かつ、能率的に出来る。
【発明を実施するための最良の形態】
【０００６】  以下に本発明の実施形態を説明する。口部を塞ぐ部分マスク（１）の上に、鼻部を塞ぐ部分マスク（２）をかぶせる構造である。
この眼鏡用マスクの使用は、引掛けひも（３）を耳に掛けて行う。口からの息は、最初に口部マスク（１）で塞ぎ、漏れた息は次に、鼻部マスク（２）の下部から逃げることにより塞ぎ、眼鏡の曇りを完全に防止する。
【図面の簡単な説明】
【０００７】
【図１】  本発明の斜視図
【図２】  本発明の使用説明図
【符号の説明】
【０００８】  １  口部マスク
２  鼻部マスク
３  引掛けひも
【図１】
2009006102.tif 000003
【図２】
2009006102.tif 000004
(57)【要約】      （修正有）【課題】従来は、スチール製のパチンコ玉が使用され、外部より磁気による不正使用で玉が誘導されていたが、こうした磁気による不正な玉の誘導ができないパチンコ玉を提供する。【解決手段】これまでのスチール製のパチンコ玉のように磁気により、影響を受け誘導されるパチンコ玉ではなく強力な磁気でも影響を受けないセラミック等など、磁気の影響を受けない素材のパチンコ玉を使用することで外部から強力な磁気による誘導を受けても誘導されることなく、パチンコ玉の自然な動きでワープ周辺から、釘や道釘等を移動しながら、チャッカー、又はアタッカーへと玉が移動することができる。【選択図】図１
2009006106.tif 000002
【特許請求の範囲】
【請求項１】
パチンコ玉を打つと、放たれた玉は一度上部ワープ周辺へと上がり、誘導する釘や道釘により方向を変えながら下へと落ちて行く道中で、スタートチャッカーかアタッカーへと入って行くこの途中で強力な磁気を使用して、チャッカーへと誘導する不正防止の為に、セラミック・硬質プラスチック・硬質アクリル等など磁気の影響を受けない素材で作ったパチンコ玉。
【発明の詳細な説明】
【技術分野】
【０００２】この発明は、今までのパチンコ玉はスチール製の為、磁気の影響を受けていたが、このパチンコ玉をスチール製ではなく磁気の影響を受けないセラミックや硬質プラスチック・硬質アクリル等の玉にすることに関するものである。
【背景技術】
【０００３】現在、遊戯のパチンコは、外部のガラス面からパチンコ玉がスチールの為、強力な磁気による不正なパチンコ玉の誘導がなされていたので、これらの磁気による不正誘導ができない玉が望まれていた。
【発明の開示】
【０００４】パチンコ台内部の上から下へと、パチンコ台内に打たれた釘や道釘により、方向を変えながらパチンコ玉が移動していたが、その時、強力な磁気を使用し、チャッカーへと不正誘導していたので、この磁気の影響が及ばないようにと考えられた玉である。
【発明が解決しようとする課題】
【０００５】これまでは、次のような欠点があった。パチンコ台のパチンコ玉がワープ周辺まで打たれ、これより、釘に誘導されて、風車周辺・道釘等を移動し、ステージやチャッカー又は、アタッカーへと移動していたが、パチンコ玉がスチール製の為、移動の途中で磁気の影響によりチャッカーへ入るように不正誘導されたので、この欠点が取り除け、磁気による誘導ができないように考えられたパチンコ玉である。
【課題を解決する為の手段】
【０００６】これまでのスチール製のパチンコ玉と同じように、硬くて、傷が付きにくく、尚かつ、磁気の影響を受けることのないパチンコ玉をセラミックや硬質プラスチック・硬質アクリル等に変えることで、パチンコ台内の釘や道釘を移動する道中でもパチンコ玉が磁気の影響が及ばない素材の為、外部から使用される磁気の影響を受けないように考えられたパチンコ玉である。
【発明の効果】
【０００７】セラミック等など、磁気の影響を受けない素材でパチンコ玉を作ることにより、磁気による不正誘導を防止し、パチンコ台内をパチンコ玉が外部から強力な磁気を使っての誘導がされることなく、釘や道釘により、パチンコ玉が方向を変えながら、自然な動きができるパチンコ玉を提供できる。
【発明の実施する為の最良の形態】
【０００８】以下、本発明の実施の形態について説明する。遊戯のパチンコで、パチンコ台内を打たれたパチンコ玉が、ワープ周辺から釘や道釘等によりのみ方向を変えながら、外部からの強力な磁気の影響を受けず、下方向に流れを変えながら落ちてゆくには、今までのスチール製のパチンコ玉ではなく、セラミック等などの磁気の影響を受けない素材で作られた玉を使用することで、磁気による不正誘導を防止するパチンコ玉として使用されるものである。
【図面の簡単な説明】
【図１】パチンコ玉の正面図
【符号の説明】
▲１▼パチンコ玉の球
【図１】
2009006106.tif 000003
(57)【要約】【課題】塗装作業時、ローラー刷毛作業において周辺に塗料の飛散することを軽減させることを可能とする。【解決手段】ローラー塗装作業時の塗料の飛散を取り外し可能なプレート機能を持つ  飛散防止補助装置により軽減させ非塗装物の養生を省力化する。【選択図】図１
2009006309.tif 000002
【特許請求の範囲】
【請求項１】
塗装用ローラー刷毛の施工時に飛散を軽減するプレートを取外し可能なローラーフレーム補助装置
【請求項２】
塗装塗膜の塗り斑を塗り作業と同時に均一に均すことの出来る脱着可能なローラーフレーム補助装置
【発明の詳細な説明】
【技術分野】
【０００１】本発明は、ローラー刷毛による塗装作業において塗料の飛散を軽減させるものである。
【背景技術】
【０００２】ローラー刷毛による塗装作業においてローラーの遠心力による回転で塗料が飛散するがその塗料の飛散を（図１）▲３▼のプレートにて周辺に飛び散ることを防ぎ、そのプレートが塗料付着の蓄積具合により作業効率の低下を招いた場合（図２）▲５▼の差込式レール留め金具装置により容易に取外し可能である、又（図１）▲３▼、▲４▼プレートは天井、屋根等の塗装作業時には長さ形状の異なるプレートに装着可能であり施工用途に応じて適所に飛散を軽減できる。【０００３】（図１）▲３▼のフラップ状のプレートを設ける事で上部へのローラー回転方向の塗料の巻上げによる飛散を軽減できる。【０００４】（図１）▲３▼、▲４▼のプレートの材質は、ポリプロピレンの薄い物又は耐水ボール紙等を使用しており塗装面に接地したときにその軟性により塗装被膜に対して過剰な影響を与えない素材になっている。【０００５】（図２）ローラーフレームの塗装面に対する角度により（図２）▲４▼のプレートが塗装面に接地した時すでに塗布された塗装膜の凹凸や塗厚を均一にする効果がある。
【発明の開示】
【発明が解決しようとする課題】
【０００６】本発明が解決しようとする問題点は、塗装ローラー刷毛作業時には、塗料が飛散するため非塗装物を養生する必要があった。
【課題を解決するための手段】
【０００７】本発明は、ローラー塗装作業時の塗料の飛散をローラー刷毛塗装の飛散防止補助装置により軽減させ非塗装物の養生を省力化（必要最低限の養生）する事を特徴とする。
【発明の効果】
【０００８】本発明は、ローラー塗装作業時の塗料の飛散を軽減させる事が出来る為、従来施工前作業として必要であった非塗装物の養生が省力化されるため従来発生していた養生ゴミ（産業廃棄物）の発生量がおおよそ五分の一以下に軽減できる利点がある。
【図１】
2009006309.tif 000003
【図２】
2009006309.tif 000004
【手続補正書】
【提出日】平成19年9月20日(2007.9.20)
【手続補正３】
【補正対象書類名】明細書
【補正対象項目名】全文
【補正方法】変更
【補正の内容】
【発明の詳細な説明】
【技術分野】
【０００１】本発明は、ローラー刷毛による塗装作業において塗料の飛散を軽減させるものである。
【背景技術】
【０００２】ローラー刷毛による塗装作業においてローラーの遠心力による回転で塗料が飛散するがその塗料の飛散を（図１）▲３▼のプレートにて周辺に飛び散ることを防ぎ、そのプレートが塗料付着の蓄積具合により作業効率の低下を招いた場合（図２）▲５▼の差込式レール留め金具装置により容易に取外し可能である、又（図１）▲３▼、▲４▼プレートは天井、屋根等の塗装作業時には長さ形状の異なるプレートに装着可能であり施工用途に応じて適所に飛散を軽減できる。【０００３】（図１）▲３▼のフラップ状のプレートを設ける事で上部へのローラー回転方向の塗料の巻上げによる飛散を軽減できる。【０００４】（図１）▲３▼、▲４▼のプレートの材質は、ポリプロピレンの薄い物又は耐水ボール紙等を使用しており塗装面に接地したときにその軟性により塗装被膜に対して過剰な影響を与えない素材になっている。【０００５】（図２）ローラーフレームの塗装面に対する角度により（図２）▲４▼のプレートが塗装面に接地した時すでに塗布された塗装膜の凹凸や塗厚を均一にする効果がある。
【発明の開示】
【発明が解決しようとする課題】
【０００６】本発明が解決しようとする問題点は、塗装ローラー刷毛作業時には、塗料が飛散するため非塗装物を養生する必要があった。
【課題を解決するための手段】
【０００７】本発明は、ローラー塗装作業時の塗料の飛散をローラー刷毛塗装の飛散防止補助装置により軽減させ非塗装物の養生を省力化（必要最低限の養生）する事を特徴とする。
【発明の効果】
【０００８】本発明は、ローラー塗装作業時の塗料の飛散を軽減させる事が出来る為、従来施工前作業として必要であった非塗装物の養生が省力化されるため従来発生していた養生ゴミ（産業廃棄物）の発生量がおおよそ五分の一以下に軽減できる利点がある。
【発明を実施するための最良の形態】
【０００９】既存の塗装用ローラーフレームに取付可能な補助装置とし塗料の巻上げ飛散を防ぐプレートは、容易に取替え可能な機構を実現した。
【実施例１】
【００１０】（図１）のローラー回転の遠心力により下方向へ塗料が飛散するものを受け皿となる▲４▼プレートにて下方向へ落下するはずの塗料の飛散を軽減できる。【００１１】（図２）▲３▼、▲４▼プレートに塗料が蓄積し作業効率が低下した場合、差込式レールフ留め金具により容易にプレートを交換できる。【００１２】（図１）のローラー回転の遠心力により上方向へ（手前方向）塗料が飛散するものをヒレとなる▲３▼フラップ状のプレートのもので手前方向への飛散を軽減できる。尚、長いプレートを両面に設置しない機構は、塗料を含ませるための塗料付け作業時の支障や従来のローラー塗装機能を損なわない為である。
【実施例２】
【００１３】（図２）の塗装面に対して下部プレートが接地するためすでに塗布された塗装皮膜の不陸を均一に均しながらローラー刷毛にて塗装する事が出来る。
【産業上の利用可能性】
【００１４】ローラー塗装作業時に塗料の飛散を軽減させる効果があるため周辺や作業者自身を汚すことが少ないため作業環境を清潔に保ち作業が出来る。
【図面の簡単な説明】
【００１５】
【図１】ローラー刷毛塗装の飛散防止補助装置の全体図である。
【図２】ローラー刷毛塗装の飛散防止補助装置の側面図である。
【符号の説明】
【００１６】▲１▼  ローラー刷毛▲２▼  ローラーフレーム軸▲３▼  上部プレート▲４▼  下部プレート▲５▼  差込式レール留め金具▲６▼  ベースプレート▲７▼  ローラーフレーム柄